(57)【要約】【課題】相互に関連するファイル又はディレクトリ群を識別する情報（レイヤー種類）を指定することで、ユーザが容易にファイルにアクセスできるようにしたファイル管理装置を提供すること。【解決手段】ファイル情報記憶部１２は、ファイル名とレイヤー種類とを対応づけて記憶する。ファイル情報表示命令受付部１６が、１又は複数のレイヤー種類を指定したファイル情報表示命令を受け付けると、ファイル情報読み出し部１４は、指定されるレイヤー種類に対応するファイル名を読み出す。そして、ファイル情報表示部１８は、その読み出されるファイル名を表示する。このため、ファイルに対してレイヤー種類を対応づけることができ、レイヤー種類を指定することによって、該レイヤー種類に対応づけられたファイルのファイル名を表示することができる。【選択図】　　　　図１
2004062827.tif 000002
【特許請求の範囲】
【請求項１】
ファイル名とレイヤー種類とを対応づけて記憶するファイル情報記憶手段と、
１又は複数のレイヤー種類を指定したファイル情報表示命令を受け付けるファイル情報表示命令受付手段と、
前記ファイル情報表示命令において指定されるレイヤー種類に対応するファイル名を前記ファイル情報記憶手段から読み出すファイル情報読み出し手段と、
前記ファイル情報読み出し手段により読み出されるファイル名を表示するファイル情報表示手段と、
を含むことを特徴とするファイル管理装置。
【請求項２】
請求項１に記載のファイル管理装置において、
前記ファイル情報記憶手段は、さらにディレクトリ名とレイヤー種類とを対応づけて記憶し、
前記ファイル情報読み出し手段は、前記ファイル情報表示命令において指定されるレイヤー種類に対応するディレクトリ名を前記ファイル情報記憶手段からさらに読み出し、
前記ファイル情報表示手段は、前記ファイル情報読み出し手段により読み出されるディレクトリ名をさらに表示する、
ことを特徴とするファイル管理装置。
【請求項３】
請求項２に記載のファイル管理装置において、
各ファイル及び各ディレクトリはディレクトリツリーのいずれかのノードに対応づけられ、
前記ファイル情報表示命令受付手段は、ディレクトリをさらに指定したファイル情報表示命令を受け付け、
前記ファイル情報読み出し手段は、前記ファイル情報表示命令において指定されるディレクトリに対応するファイル名及びディレクトリ名を前記ファイル情報記憶手段から読み出し、
前記ファイル情報表示手段は、前記ファイル情報読み出し手段により読み出されるファイル名及びディレクトリ名を表示する、
ことを特徴とするファイル管理装置。
【請求項４】
請求項１乃至３のいずれかに記載のファイル管理装置において、
前記レイヤー種類は、各ファイルに関連するアプリケーションプログラムに対応づけられている、ことを特徴とするファイル管理装置。
【請求項５】
ファイル名とレイヤー種類とを対応づけて記憶するファイル情報記憶手段、
１又は複数のレイヤー種類を指定したファイル情報表示命令を受け付けるファイル情報表示命令受付手段、
前記ファイル情報表示命令において指定されるレイヤー種類に対応するファイル名を前記ファイル情報記憶手段から読み出すファイル情報読み出し手段、及び、
前記ファイル情報読み出し手段により読み出されるファイル名を表示するファイル情報表示手段、
としてコンピュータを機能させるためのプログラム。
【発明の詳細な説明】
【０００１】
【発明の属する技術分野】
本発明はファイル管理装置及びプログラムに関し、特に、ディレクトリ及び該ディレクトリにより管理されるファイルにレイヤー種類を対応づけておき、該レイヤー種類によりファイル名及び／又はディレクトリ名を選択的に表示することによってファイル管理を容易化するようにしたファイル管理装置及びプログラムに関する。
【０００２】
【従来の技術】
従来、コンピュータに記憶される大量のファイルは、ディレクトリ或いはフォルダ（本明細書では、いずれも「ディレクトリ」と呼ぶこととする）ツリーの各ノードに対応づけられている。そして、かかるファイル管理により、ユーザはディレクトリツリー構造を頼りに、目的のファイルにアクセスできるようにしている。
【０００３】
【発明が解決しようとする課題】
しかしながら、従来のファイル管理においては、ユーザや各アプリケーションのインストールプログラムにディレクトリツリー構造の決定が委ねられており、コンピュータの使用を続けるうちに複雑化する傾向にあった。このため、必ずしもディレクトリツリー構造だけでは、ユーザは目的のファイルに容易にアクセスすることはできなかった。
【０００４】
一方、大量のファイル又はディレクトリの中には、ディレクトリツリー構造とは離れて、互いに何らかの関係を有している（例えば対応アプリケーションプログラムが共通する等）ことが多い。
【０００５】
本発明は上記課題に鑑みてなされたものであって、その目的は、相互に関連するファイル又はディレクトリ群を識別する情報（レイヤー種類）を指定することで、ユーザが容易にファイルにアクセスできるようにしたファイル管理装置及びプログラムを提供することにある。
【０００６】
【課題を解決するための手段】
上記課題を解決するために、本発明に係るファイル管理装置は、ファイル名とレイヤー種類とを対応づけて記憶するファイル情報記憶手段と、１又は複数のレイヤー種類を指定したファイル情報表示命令を受け付けるファイル情報表示命令受付手段と、前記ファイル情報表示命令において指定されるレイヤー種類に対応するファイル名を前記ファイル情報記憶手段から読み出すファイル情報読み出し手段と、前記ファイル情報読み出し手段により読み出されるファイル名を表示するファイル情報表示手段と、を含むことを特徴とする。
【０００７】
また、本発明に係るプログラムは、ファイル名とレイヤー種類とを対応づけて記憶するファイル情報記憶手段、１又は複数のレイヤー種類を指定したファイル情報表示命令を受け付けるファイル情報表示命令受付手段、前記ファイル情報表示命令において指定されるレイヤー種類に対応するファイル名を前記ファイル情報記憶手段から読み出すファイル情報読み出し手段、及び、前記ファイル情報読み出し手段により読み出されるファイル名を表示するファイル情報表示手段、としてコンピュータを機能させるためのプログラムである。
【０００８】
本発明では、ファイル名とレイヤー種類とを対応づけて記憶する。なお、レイヤー種類は、相互に関連するファイル又はディレクトリ群を識別する情報である。そして、１又は複数のレイヤー種類を指定したファイル情報表示命令を受け付けると、指定されるレイヤー種類に対応するファイル名を読み出し、その読み出されるファイル名を表示する。本発明によれば、ファイルに対してレイヤー種類を対応づけることができ、レイヤー種類を指定することによって、該レイヤー種類に対応づけられたファイルのファイル名を表示することができる。
【０００９】
また、本発明の一態様では、前記ファイル情報記憶手段は、さらにディレクトリ名とレイヤー種類とを対応づけて記憶し、前記ファイル情報読み出し手段は、前記ファイル情報表示命令において指定されるレイヤー種類に対応するディレクトリ名を前記ファイル情報記憶手段からさらに読み出し、前記ファイル情報表示手段は、前記ファイル情報読み出し手段により読み出されるディレクトリ名をさらに表示する、ことを特徴とする。こうすれば、ディレクトリに対してレイヤー種類を対応づけることができ、レイヤー種類を指定することによって、該レイヤー種類に対応づけられたディレクトリのディレクトリ名を表示することができるようになる。
【００１０】
また、本発明の一態様では、各ファイル及び各ディレクトリはディレクトリツリーのいずれかのノードに対応づけられ、前記ファイル情報表示命令受付手段は、ディレクトリをさらに指定したファイル情報表示命令を受け付け、前記ファイル情報読み出し手段は、前記ファイル情報表示命令において指定されるディレクトリに対応するファイル名及びディレクトリ名を前記ファイル情報記憶手段から読み出し、前記ファイル情報表示手段は、前記ファイル情報読み出し手段により読み出されるファイル名及びディレクトリ名を表示する、ことを特徴とする。こうすれば、レイヤー種類とともにディレクトリ名を指定することによって、指定されるディレクトリに対応するファイル名及びディレクトリ名であって、指定されるレイヤー種類に対応づけられたものを表示することができるようになる。
【００１１】
また、本発明の一態様では、前記レイヤー種類は、各ファイルに関連するアプリケーションプログラムに対応づけられている、ことを特徴とする。こうすれば、アプリケーションプログラムに対応づけられたレイヤー種類をファイルやディレクトリに対して対応づけることができ、レイヤー種類を指定することによって、該レイヤー種類に対応するアプリケーションプログラムに対応するファイル名やディレクトリ名を表示することができるようになる。すなわち、任意のアプリケーションプログラムに対応づけられたレイヤー種類を指定することによって、該アプリケーションプログラムに関連するファイル名を表示することができるようになる。
【００１２】
【発明の実施の形態】
以下、本発明の好適な実施の形態について図面に基づき詳細に説明する。
【００１３】
図１は、本発明の実施の形態に係るファイル管理装置において実現される機能ブロック図である。同図に示すように、ファイル管理装置１０は、ファイル情報記憶部１２、ファイル情報読み出し部１４、ファイル情報表示命令受付部１６及びファイル情報表示部１８を含んで構成される。これらの機能は、プログラムがＣＰＵ等を含んだコンピュータによって実行されることによって、実現されるものである。なお、該プログラムは、ＯＳの一部を構成するものであってもよいし、ＯＳに付加的に実行されるものであってもよいし、アプリケーションプログラムであってもよい。また、該プログラムは、ＣＤ−ＲＯＭ等のコンピュータにより読み取り可能な情報記憶媒体に記憶され、該情報記憶媒体によってコンピュータに供給されるものである。
【００１４】
ファイル情報記憶部１２は、例えば公知のハードディスク記憶装置を含んで構成されるものであり、ファイル名とレイヤー種類とを対応づけて記憶し、さらにディレクトリ名とレイヤー種類とを対応づけて記憶する。具体的には、ファイル情報記憶部１２には、図２に示すような、ファイル情報テーブルが記憶される。ファイル情報テーブルは、ディレクトリやファイルの情報を記憶するものであり、「ディレクトリ」フィールドと「ファイル名」フィールドと「レイヤー種類」フィールドとを含んでいる。これらのフィールドは互いに対応づけられている。「ファイル名」フィールドが空欄であるレコードは、「ディレクトリ」フィールドで示されるディレクトリに関する情報を示している。「ファイル名」フィールドが空欄でないレコードは、「ファイル名」フィールドで示されるファイルに関する情報を示している。この場合、「ファイル名」フィールドに示されるファイルは、「ディレクトリ」フィールドに示されるディレクトリの直下に存在することを示している。「レイヤー種類」フィールドは、そのレコードによって示されるディレクトリ又はファイルのレイヤー種類を示している。例えば、ファイル「ｍｅｍｏ＿ａ．ｔｘｔ」は、ディレクトリ「ｃ：￥ｔｅｍｐ」直下に存在するファイルであり、そのレイヤー種類は「１００」である。また、ファイル管理装置１０では、「ディレクトリ」、「ファイル名」、「レイヤー種類」によって、ファイルが一意に特定されるようになっている。すなわち、「ディレクトリ」と「ファイル名」との組み合わせが同じで「レイヤー種類」が異なるファイルが存在するようになっている。例えば、「ｃ：￥ｔｅｍｐ」ディレクトリ直下の「ｍｅｍｏ＿ｃ．ｔｘｔ」は、レイヤー種類「１１０」と「２００」のものが存在している。なお、以下では、ファイルは「ディレクトリ」と「ファイル名」と「レイヤー種類」との組み合わせによって一意に特定されることとして説明するが、従来のファイル管理（ファイルシステムやファイル管理装置等）との互換性を向上するために、ファイルは「ディレクトリ」と「ファイル名」との組み合わせによって一意に特定されることとしてもよい。
【００１５】
ファイル情報読み出し部１４は、ＣＰＵ、ＲＡＭやＲＯＭ等のメモリを含んで構成されるものであり、ファイル情報表示命令受付部１６によって受け付けられたファイル情報表示命令において指定されるレイヤー種類に対応するファイル名やディレクトリ名をファイル情報記憶部１２から読み出す。また、ファイル情報表示命令受付部１６によって、ディレクトリをさらに指定したファイル情報表示命令が受け付けられた場合、ファイル情報読み出し部１４は、ファイル情報表示命令において指定されるディレクトリに対応するファイル名及びディレクトリ名をファイル情報記憶部１２から読み出す。ファイル情報表示命令受付部１６は、ＣＰＵ、ＲＡＭやＲＯＭ等のメモリを含んで構成されるものであり、１又は複数のレイヤー種類を指定したファイル情報表示命令を受け付ける。また、ファイル情報表示命令受付部１６は、ディレクトリをさらに指定したファイル情報表示命令を受け付ける。ファイル情報表示部１８は、ＣＰＵ、ＲＡＭやＲＯＭ等のメモリ、ディスプレイを含んで構成されるものであり、ファイル情報読み出し部１４により読み出されるファイル名やディレクトリ名を表示する。
【００１６】
以下、ファイル管理装置１０の動作について説明する。ファイル管理装置１０では、ディレクトリ及び該ディレクトリにより管理されるファイルにレイヤー種類が対応づけられるようになっている。また、ファイル管理装置１０では、ファイル情報表示命令（コマンド）が提供されている。該ファイル情報表示命令によると、対象ディレクトリ直下にあるファイルやディレクトリの情報を表示させることができる。また、該ファイル情報表示命令では、レイヤー種類を指定することができるようになっている。レイヤー種類を指定したファイル情報表示命令によると、対象ディレクトリ直下にあるファイルやディレクトリのうち、指定したレイヤー種類に係るもののみの情報を選択的に表示することができるようになっている。このため、該ファイル情報表示命令によると、ユーザが目的のファイルに容易にアクセスできるようになっている。
【００１７】
図３は、ファイル管理装置１０におけるファイル情報表示命令（コマンド）の一例を示している。同図（ａ）は、コマンド入力画面の一例を示しており、同図（ｂ）は、同図（ａ）に示すコマンドが実行された場合の実行結果表示画面の一例を示している。同図（ａ）に示すように、コマンド入力画面では、コマンドプロンプト（＞）の後にｄｉｒコマンドが入力されている。ｄｉｒコマンドは、対象ディレクトリ直下に存在するディレクトリやファイルの情報を表示させるためのファイル情報表示命令の一例である。同図（ａ）の例では、コマンドの引数（オプション）として、「：１００」と「ｃ：￥ｔｅｍｐ」とが指定されている。引数「ｃ：￥ｔｅｍｐ」は、ｄｉｒコマンドの対象とするディレクトリを指定するものである。また、引数「：１００」は、レイヤー種類として「１００」を指定するものである。すなわち、同図（ａ）に示されるコマンドが実行されると、同図（ｂ）に示すように、ｄｉｒコマンドにおいて指定されたディレクトリ（「ｃ：￥ｔｅｍｐ」ディレクトリ）直下のディレクトリ又はファイルであって、レイヤー種類が「１００」であるものの情報が表示されるようになっている。このとき、各ディレクトリ名及びファイル名には、そのレイヤー種類が「：」で連結されて表示されるようになっている。
【００１８】
また、ファイル情報表示命令（ｄｉｒコマンド）においては、複数のレイヤー種類を指定できるようにしてもよい。例えば、図４（ａ）や図５（ａ）に示すように、ワイルドカード文字「＊」や「？」等を含んだ指定をできるようにすればよい。図４（ａ）では、レイヤー種類を指定するための引数として、「：＊」が指定されている。「＊」は、例えば、任意の文字列を示すものであり、この場合には「：＊」はすべてのレイヤー種類を指定することを示すことになる。該ｄｉｒコマンドが実行されると、図４（ｂ）に示すような実行結果が表示される。すなわち、「ｃ：￥ｔｅｍｐ」ディレクトリ直下のディレクトリ又はファイルの情報が表示され、各ディレクトリ名及びファイル名には、そのレイヤー種類が「：」で連結されて表示される。また、図５（ａ）では、レイヤー種類を指定するための引数として、「：１？０」が指定されている。「？」は、例えば、任意の１文字を示すものであり、この場合には「：１？０」は１で始まり０で終わる３文字のレイヤー種類を指定することを示すことになる。該ｄｉｒコマンドが実行されると、図５（ｂ）に示すような実行結果が表示される。すなわち、「ｃ：￥ｔｅｍｐ」ディレクトリ直下のディレクトリ又はファイルであって、レイヤー種類が１で始まり０で終わる３文字であるものの情報が表示される。具体的には、「ｃ：￥ｔｅｍｐ」ディレクトリ直下には、レイヤー種類「１００」、「１１０」、「２００」のディレクトリやファイルが存在しており（図２参照）、このうちレイヤー種類が「１００」と「１１０」であるディレクトリ名やファイル名が表示されている。各ディレクトリ名及びファイル名には、そのレイヤー種類が「：」で連結されて表示されるようになっている。
【００１９】
なお、以上で説明したｄｉｒコマンドは、ファイル情報表示命令の一例である。ファイル情報表示命令はＯＳによって異なるものであり、引数の指定の仕方等もＯＳによって異なるものである。また、ワイルドカード文字「＊」、「？」やその意味についても、ＯＳによって異なるのが一般的である。
【００２０】
次に、ファイル情報表示命令を受け付けたファイル管理装置１０の処理、すなわち、ファイル情報表示命令受付部１６がファイル情報表示命令を受け付けてから、ファイル情報表示部１８がファイル名やディレクトリ名を表示するまでの処理（ファイル情報表示処理）について説明する。
【００２１】
図６は、ファイル情報表示処理を示すフロー図である。同図に示すように、まず、ファイル情報表示命令受付部１６がファイル情報表示命令を受け付け、該ファイル情報表示命令に含まれる指定ディレクトリと指定レイヤー種類とを取得する（Ｓ１０１）。図３（ａ）の場合であれば、ファイル情報表示命令はｄｉｒコマンドであり、取得される指定ディレクトリは「ｃ：￥ｔｅｍｐ」、取得される指定レイヤー種類は「１００」となる。
【００２２】
次に、ファイル情報読み出し部１４は、指定ディレクトリ直下のファイル又はディレクトリであって、指定レイヤー種類に対応するものの情報を取得する（Ｓ１０２）。ファイルに関しては、ファイル情報テーブルから、１）「ファイル名」フィールドが空欄でない、２）「ディレクトリ」フィールドが指定ディレクトリである、３）「レイヤー種類」が指定レイヤー種類である、という条件に該当するレコードを読み出す。また、ディレクトリに関しては、ファイル情報テーブルから、１）「ファイル名」フィールドが空欄である、２）「ディレクトリ」フィールドが指定ディレクトリを含んでいる（前方一致である）、３）「ディレクトリ」フィールドが指定ディレクトリ直下のディレクトリを示している、４）「レイヤー種類」が指定レイヤー種類である、という条件に該当するレコードを読み出す。
【００２３】
そして、ファイル情報表示部１８は、Ｓ１０２において取得した情報に基づいて、ファイル名やディレクトリ名等の情報を表示する（Ｓ１０３）。このとき、ファイル名としては、「ファイル名」フィールドの内容に、「レイヤー種類」フィールドの内容を「：」によって連結したものを表示する。また、ディレクトリ名としては、「ディレクトリ」フィールドの内容から指定ディレクトリと一致する部分を除いた部分に、「レイヤー種類」フィールドの内容を「：」によって連結したものを表示する。
【００２４】
なお、本発明は以上説明した実施の形態に限定されるものではない。
【００２５】
例えば、レイヤー種類は、ファイルやディレクトリに関連するアプリケーションプログラムに対応づけるようにしてもよい。こうすれば、ファイル情報表示命令において、任意のアプリケーションプログラムに対応づけられたレイヤー種類を指定することによって、該アプリケーションプログラムに関連するファイルやディレクトリのみを表示することができるようになる。
【００２６】
また、例えば、ファイル管理テーブルを図７に示すように設けてもよい。すなわち、「レイヤー種類」フィールドを特に設けずに、「ファイル名」フィールドの先頭から所定長をレイヤー種類を示す情報として使用するようにしてもよい。例えば、「ファイル名」フィールドの内容「１００ｍｅｍｏ＿ａ．ｔｘｔ」である場合は、レイヤー種類が「１００」で、ファイル名が「ｍｅｍｏ＿ａ．ｔｘｔ」であることを示すこととなる。
【００２７】
こうすれば、ファイル管理テーブルに「レイヤー情報」フィールドを特に設けなくともよくなる。このため、従来（既存）のファイル管理におけるファイル管理テーブルを使用することができるようになる。すなわち、従来のファイル管理との互換性（親和性）を向上することができるようになる。この結果として、従来のファイル管理にのみ対応したアプリケーションプログラムを使用することができるようになる。例えば、図８（ａ）に示すようなコマンドが実行された場合にも、すなわち、対象ディレクトリを指定しただけのｄｉｒコマンドが実行された場合にも、同図（ｂ）に示すような実行結果を表示することができるようになる。また、この場合においても、図３（ａ）に示したようなコマンド（レイヤー種類が指定されたコマンド）が実行された場合には、同図（ｂ）に示したような実行結果を表示させるようにしてもよい。すなわち、レイヤー種類が指定された場合には、表示するディレクトリ名やファイル名にレイヤー種類を「：」で連結して表示するというレイヤー種類の存在を意識した表示をするようにし、レイヤー種類が指定されていない場合には、単にファイル管理テーブルの「ディレクトリ」フィールドや「ファイル名」フィールドの内容に基づいて、ファイル名やディレクトリ名を表示させるようにすればよい。
【００２８】
この場合、ファイル情報表示処理は図９に示すようにすればよい。同図に示すように、まず、ファイル情報表示命令受付部１６がファイル情報表示命令を受け付け、該ファイル情報表示命令に含まれる指定ディレクトリと指定レイヤー種類とを取得する（Ｓ２０１）。次に、ファイル情報読み出し部１４は、レイヤー種類指定の有無、すなわち、Ｓ２０１において指定レイヤー種類が取得されたか否かを判断する（Ｓ２０２）。
【００２９】
レイヤー種類指定がない場合、すなわち、Ｓ２０１において指定レイヤー種類が取得されなかった場合、指定ディレクトリ直下にあるファイルとディレクトリの情報を取得する（Ｓ２０３）。ファイルに関しては、ファイル情報テーブルから、１）「ファイル名」フィールドが空欄でない、２）「ディレクトリ」フィールドが指定ディレクトリである、という条件に該当するレコードを読み出す。また、ディレクトリに関しては、ファイル情報テーブルから、１）「ファイル名」フィールドが空欄である、２）「ディレクトリ」フィールドが指定ディレクトリを含んでいる（前方一致である）、３）「ディレクトリ」フィールドが指定ディレクトリ直下のディレクトリを示している、という条件に該当するレコードを読み出す。次に、ファイル情報表示部１８は、Ｓ２０３で読み出したレコードに基づいて、ファイル及びディレクトリの情報を表示する（Ｓ２０４）。ここで、ファイル名は、「ファイル名」フィールドの内容をそのまま表示する。すなわち、ファイル名の先頭にレイヤー種類を付したままのものを表示する。
【００３０】
一方、レイヤー種類指定がある場合、すなわち、Ｓ２０１において指定レイヤー種類が取得された場合、指定ディレクトリ直下にあるファイルとディレクトリであって、レイヤー種類が指定レイヤー種類であるものの情報を取得する（Ｓ２０５）。具体的な処理は、Ｓ１０２と同様である。しかし、ファイルに関しては、ファイル情報テーブルから、１）「ファイル名」フィールドが空欄でない、２）「ディレクトリ」フィールドが指定ディレクトリである、３）「ファイル名」フィールドの先頭から所定長が指定レイヤー種類である、という条件に該当するレコードを読み出す。次に、ファイル情報表示部１８は、Ｓ２０５で読み出したレコードに基づいて、ファイル及びディレクトリの情報を表示する（Ｓ２０６）。ここで、ファイル名やディレクトリ名は、Ｓ１０３と同様に、指定レイヤー種類を「：」によって連結したものを表示する。
【００３１】
また、例えば、図２に示すようなファイル管理テーブル（以下、「本発明に係るファイル管理テーブル」とする。）と従来のファイル管理におけるファイル管理テーブル（例えば、図７に示すようなファイル管理テーブルにおいて、「ファイル名」フィールドにレイヤー情報が付加されていないもの。以下、「従来ファイル管理テーブル」とする。）とを並存させるようにしてもよい。このとき、従来ファイル管理テーブルが更新される場合には、該更新に基づいた更新が本発明に係るファイル管理テーブルに対しても行われるようにすればよい。また、逆に、本発明に係るファイル管理テーブルが更新される場合には、該更新に基づいた更新が従来ファイル管理テーブルに対しても行われるようにすればよい。すなわち、本発明に係るファイル管理テーブルと従来ファイル管理テーブルとで互いに整合性を保つようにすればよい。なお、該更新処理は、ファイル管理装置１０にインストールされた常駐プログラムによって実行されるようにすればよい。こうすれば、本発明に関連するプログラムは、本発明に係るファイル管理テーブルを使用し、既存のプログラムは、従来ファイル管理テーブルを使用するようにすることができるようになる。この結果として、従来のファイル管理との互換性（親和性）を向上することができるようになる。なお、この場合、ファイルは、「ディレクトリ」と「ファイル名」の組み合わせによって一意に特定されるようにする必要がある。
【００３２】
【発明の効果】
以上説明したように、本発明によれば、相互に関連するファイル又はディレクトリ群を識別する情報（レイヤー種類）を指定することで、ユーザは容易にファイルにアクセスできる。
【図面の簡単な説明】
【図１】本実施の形態に係るファイル管理装置の機能ブロック図である。
【図２】ファイル管理テーブルの一例を示す図である。
【図３】コマンド入力画面及びその実行結果表示画面の一例を示す図である。
【図４】コマンド入力画面及びその実行結果表示画面の一例を示す図である。
【図５】コマンド入力画面及びその実行結果表示画面の一例を示す図である。
【図６】ファイル情報表示処理を示すフロー図である。
【図７】ファイル管理テーブルの一例を示す図である。
【図８】コマンド入力画面及びその実行結果表示画面の一例を示す図である。
【図９】ファイル情報表示処理を示すフロー図である。
【符号の説明】
１０　ファイル管理装置、１２　ファイル情報記憶部、１４　ファイル情報読み出し部、１６　ファイル情報表示命令受付部、１８　ファイル情報表示部。
【図１】
2004062827.tif 000003
【図２】
2004062827.tif 000004
【図３】
2004062827.tif 000005
【図４】
2004062827.tif 000006
【図５】
2004062827.tif 000007
【図６】
2004062827.tif 000008
【図７】
2004062827.tif 000009
【図８】
2004062827.tif 000010
【図９】
2004062827.tif 000011